(57)【要約】【課題】利用者に対し、メディア配信と同期した各種サービスが実現可能なメディア同期システムを提供する。【解決手段】同期データ解読手段１１４は内部時計１１２を参照し、同期データに記録されている同期データ開始時刻、コマンド実行時間から、コマンド実行時刻を判定し、同期データ２２に記録されているコマンド種別を解読し、コマンド情報をメディア同期コマンド実行手段１２−１〜１２−ｎに送信する。メディア同期コマンド実行手段１２−１〜１２−ｎのコマンド認識手段１２２は受信したコマンド情報からコマンドを認識し、コマンド実行手段１２３に実行命令を送信する。コマンド実行手段１２３は受信した実行命令に基づいた動作を行う。メディア受信手段１３はメディア配信サービス事業者システム４から配信される配信データの復元・再生を行う。【選択図】      図１
2005006037.tif 000002
【特許請求の範囲】
【請求項１】
少なくとも映像又は音声を含むメディアを受信して出力する利用者端末に少なくとも無線又は有線を含む通信媒体にて前記メディアを配信するメディア配信手段を含むメディア同期システムであって、前記メディアに同期した同期データを前記通信媒体とは独立の通信媒体を介して前記利用者端末とは異なる同期データ実行手段に配信する同期データ配信手段を有することを特徴とするメディア同期システム。
【請求項２】
前記同期データに含むコマンド列を認識するコマンド認識手段と、前記コマンド認識手段で検出されたコマンド列を実行するコマンド実行手段とを前記同期データ実行手段に含むことを特徴とする請求項１記載のメディア同期システム。
【請求項３】
前記コマンド列は、前記メディアの配信時刻に基づいて作成されたことを特徴とする請求項２記載のメディア同期システム。
【請求項４】
前記コマンド列は、前記利用者端末に蓄積されて前記同期データ実行手段に前記メディアの配信時刻から順次送出されることを特徴とする請求項３記載のメディア同期システム。
【請求項５】
前記コマンド列は、前記同期データ配信手段から前記利用者端末に前記メディアの配信時刻からリアルタイムで順次送出されることを特徴とする請求項３記載のメディア同期システム。
【請求項６】
前記コマンド列は、前記メディアの進捗状況に合わせて前記同期データ実行手段の実行内容を可変とすることを特徴とする請求項２から請求項５のいずれか記載のメディア同期システム。
【請求項７】
前記同期データ実行手段を前記利用者端末に着脱自在としたことを特徴とする請求項２から請求項６のいずれか記載のメディア同期システム。
【請求項８】
前記コマンド認識手段及び前記コマンド実行手段は、前記メディアに関連して前記コマンド列の認識及び実行を行うことを特徴とする請求項２から請求項７のいずれか記載のメディア同期システム。
【請求項９】
前記同期データを記録する第一の記録手段と、前記メディアと当該メディアの記録開始時刻とを記録する第二の記録手段とを前記利用者端末に含み、
前記第一の記録手段に記録された前記同期データの開始時刻と前記第二の記録手段に記録された前記記録開始時刻との差分だけ前記同期データの実行タイミングを遅延することを特徴とする請求項２から請求項８のいずれか記載のメディア同期システム。
【請求項１０】
前記コマンド実行手段は、前記メディアの少なくともテレビ及びラジオのうちの一方への配信時に前記コマンド列を実行して空調制御を行うことを特徴とする請求項２から請求項９のいずれか記載のメディア同期システム。
【請求項１１】
前記コマンド実行手段は、前記メディアの少なくともテレビ及びラジオのうちの一方への配信時に前記コマンド列を実行して照明制御を行うことを特徴とする請求項２から請求項１０のいずれか記載のメディア同期システム。
【請求項１２】
前記コマンド実行手段は、前記メディアの少なくともテレビ及びラジオのうちの一方への配信時に前記コマンド列を実行して星座の投影制御を行うことを特徴とする請求項２から請求項１１のいずれか記載のメディア同期システム。
【請求項１３】
前記コマンド実行手段は、前記メディアの少なくともテレビ及びラジオのうちの一方への配信時に前記コマンド列を実行して可動椅子に対する振動及び衝撃のうちの少なくとも一方の制御を行うことを特徴とする請求項２から請求項１２のいずれか記載のメディア同期システム。
【請求項１４】
前記コマンド実行手段は、前記メディアの少なくともテレビ及びラジオのうちの一方への配信時に前記コマンド列を実行して玩具に対する動作制御を行うことを特徴とする請求項２から請求項９のいずれか記載のメディア同期システム。
【請求項１５】
前記コマンド実行手段は、キャラクター人形に対する動作制御を行うことを特徴とする請求項１４記載のメディア同期システム。
【請求項１６】
前記利用者端末と前記同期データ実行手段との間の通信を少なくとも赤外線通信及び近距離無線通信のいずれかで実現することを特徴とする請求項１から請求項１５のいずれか記載のメディア同期システム。
【請求項１７】
前記同期データを配信する通信媒体は、インタネットであることを特徴とする請求項１から請求項１６のいずれか記載のメディア同期システム。
【請求項１８】
メディア配信システムから、少なくとも映像又は音声を含むメディアを受信して出力する利用者端末に少なくとも無線又は有線を含む通信媒体にて前記メディアを配信するメディア同期システムのサービス提供方法であって、前記メディアに同期した同期データを前記通信媒体とは独立の通信媒体を介して前記利用者端末とは異なる同期データ実行手段に配信することを特徴とするサービス提供方法。
【請求項１９】
前記同期データ実行手段のコマンド認識手段で前記同期データに含むコマンド列を認識し、前記コマンド認識手段で検出されたコマンド列を前記同期データ実行手段のコマンド実行手段で実行することを特徴とする請求項１８記載のサービス提供方法。
【請求項２０】
前記コマンド列は、前記メディアの配信時刻に基づいて作成されたことを特徴とする請求項１９記載のサービス提供方法。
【請求項２１】
前記コマンド列は、前記利用者端末に蓄積されて前記同期データ実行手段に前記メディアの配信時刻から順次送出されることを特徴とする請求項２０記載のサービス提供方法。
【請求項２２】
前記コマンド列は、前記同期データ配信手段から前記利用者端末に前記メディアの配信時刻からリアルタイムで順次送出されることを特徴とする請求項２０記載のサービス提供方法。
【請求項２３】
前記コマンド列は、前記メディアの進捗状況に合わせて前記同期データ実行手段の実行内容を可変とすることを特徴とする請求項１９から請求項２２のいずれか記載のサービス提供方法。
【請求項２４】
前記同期データ実行手段を前記利用者端末に着脱自在としたことを特徴とする請求項１９から請求項２３のいずれか記載のサービス提供方法。
【請求項２５】
前記コマンド認識手段及び前記コマンド実行手段は、前記メディアに関連して前記コマンドの認識及び実行を行うことを特徴とする請求項１９から請求項２４のいずれか記載のサービス提供方法。
【請求項２６】
前記同期データを記録する第一の記録手段と、前記メディアと当該メディアの記録開始時刻とを記録する第二の記録手段とを前記利用者端末内に設け、
前記第一の記録手段に記録された前記同期データの開始時刻と前記第二の記録手段に記録された前記記録開始時刻との差分だけ前記同期データの実行タイミングをずらすことを特徴とする請求項１９から請求項２５のいずれか記載のサービス提供方法。
【請求項２７】
前記コマンド実行手段は、前記メディアの少なくともテレビ及びラジオのうちの一方への配信時に前記コマンド列を実行して空調制御を行うことを特徴とする請求項１９から請求項２６のいずれか記載のサービス提供方法。
【請求項２８】
前記コマンド実行手段は、前記メディアの少なくともテレビ及びラジオのうちの一方への配信時に前記コマンド列を実行して照明制御を行うことを特徴とする請求項１９から請求項２７のいずれか記載のサービス提供方法。
【請求項２９】
前記コマンド実行手段は、前記メディアの少なくともテレビ及びラジオのうちの一方への配信時に前記コマンド列を実行して星座の投影制御を行うことを特徴とする請求項１９から請求項２８のいずれか記載のサービス提供方法。
【請求項３０】
前記コマンド実行手段は、前記メディアの少なくともテレビ及びラジオのうちの一方への配信時に前記コマンド列を実行して可動椅子に対する振動及び衝撃のうちの少なくとも一方の制御を行うことを特徴とする請求項１９から請求項２９のいずれか記載のサービス提供方法。
【請求項３１】
前記コマンド実行手段は、前記メディアの少なくともテレビ及びラジオのうちの一方への配信時に前記コマンド列を実行して玩具に対する動作制御を行うことを特徴とする請求項１９から請求項２６のいずれか記載のサービス提供方法。
【請求項３２】
前記コマンド実行手段は、キャラクター人形に対する動作制御を行うことを特徴とする請求項３１記載のサービス提供方法。
【請求項３３】
前記利用者端末と前記同期データ実行手段との間の通信を少なくとも赤外線通信及び近距離無線通信のいずれかで実現することを特徴とする請求項１９から請求項３２のいずれか記載のサービス提供方法。
【請求項３４】
前記同期データを配信する通信媒体は、インタネットであることを特徴とする請求項１８から請求項３３のいずれか記載のサービス提供方法。
【発明の詳細な説明】
【０００１】
【発明の属する技術分野】
本発明はメディア同期システム及びそれに用いるサービス提供方法に関し、特にテレビやラジオ等のメディア受信手段へのメディアの配信方法に関する。
【０００２】
【従来の技術】
従来、テレビやラジオ等のメディア受信手段へのメディア配信においては、その出力手段に重畳可能な映像や音等の情報配信に限られている。例えば、テレビでは、通常の映像や音の他に、字幕等の文字多重放送、外国語での出力等の音声多重放送等が知られているが、テレビ装置に備えたディスプレイやスピーカから出力可能なものに限られている。
【０００３】
上述した文字多重放送や音声多重放送等の技術としては、コンテンツとシナリオデータとをマルチプレクスして再生する方法（例えば、特許文献１参照）、動画の教材に対して、添付された学習補助データを同期して表示する方法（例えば、特許文献２参照）等がある。
【０００４】
【特許文献１】
特開２００２−１７６６３８号公報（第１０〜１２頁、図１）
【特許文献２】
特開２００３−０６７５０７号公報（第１１，１２頁、図１）
【０００５】
【発明が解決しようとする課題】
従来のメディアの配信方法では、テレビやラジオといったメディア受信手段以外の機器に対して、テレビやラジオに配信されるメディアに同期して他の情報を配信する手段が存在しない。これらを実現するために、従来のメディアの配信方法では、本来の目的とは異なる特別な映像信号または音声信号を配信データに混在させることとなり、それらがテレビやラジオに配信される本来の映像や音声とは異なるため、利用者に不快感を与えるという問題がある。
【０００６】
また、従来のメディアの配信方法では、上記のテレビやラジオに配信されるメディアに同期して他の情報を配信する手段が実現されたとしても、配信データ内の特別な映像信号または音声信号を判別するのに、その判別を行うための特別な機器を導入する必要があるという問題がある。
【０００７】
さらに、従来のメディアの配信方法では、配信データに映像や音以外のデータとして他の情報を混在して配信する場合、配信データから該当する情報を抽出するための特別の装置が必要になるという問題がある。
【０００８】
そこで、本発明の目的は上記の問題点を解消し、利用者に対し、メディア配信と同期してサービスを提供することができるメディア同期システム及びそれに用いるサービス提供方法を提供することにある。
【０００９】
【課題を解決するための手段】
本発明によるメディア同期システムは、少なくとも映像又は音声を含むメディアを受信して出力する利用者端末に少なくとも無線又は有線を含む通信媒体にて前記メディアを配信するメディア配信手段を含むメディア同期システムであって、前記メディアに同期した同期データを前記通信媒体とは独立の通信媒体を介して前記利用者端末とは異なる同期データ実行手段に配信する同期データ配信手段を備えている。
【００１０】
本発明によるサービス提供方法は、メディア配信システムから、少なくとも映像又は音声を含むメディアを受信して出力する利用者端末に少なくとも無線又は有線を含む通信媒体にて前記メディアを配信するメディア同期システムのサービス提供方法であって、前記メディアに同期した同期データを前記通信媒体とは独立の通信媒体を介して前記利用者端末とは異なる同期データ実行手段に配信している。
【００１１】
すなわち、本発明のメディア同期システムは、テレビやラジオ等のメディア受信機に配信される映像、音楽、音声等と、それらに同期して配信される他の情報を受信するメディア受信機以外の手段とを同期させるシステムと、そのサービス提供のビジネスモデルとを提供するものである。
【００１２】
より具体的に説明すると、本発明のメディア同期システムでは、メディア配信事業者が、メディア同期コマンド実行手段に関連する映像、音楽、音声等の配信データを作成し、ユーザに対し、無線・有線・他の媒体を経由して、ユーザに配信する。
【００１３】
同期データ作成事業者はメディア配信事業者が作成した配信データと配信予定時刻とを受け、該当する配信データの内容を基にメディア同期コマンド実行手段で実行するための同期データ（例えば、メディア同期コマンド実行手段を動作させるための一連のコマンド命令列）を作成する。この同期データには少なくとも実行コマンド（実行時刻が含まれる場合もある）が記録されており、作成された同期データは同期データ配信サービス事業者に渡される。同期データ配信サービス事業者はその同期データをインタネットを利用して利用者に配信する。
【００１４】
利用者は同期データ配信サービス事業者が提供する配信サービスに加入することで、インタネットに接続されているパーソナルコンピュータやホームサーバ等のコンピュータ等からなる情報機器によって、インタネットを経由して同期データを情報機器内に取得する。また、利用者は上記の配信サービスに加入する際に、メディア同期コマンド実行手段を購入しているものとする。情報機器では取得した同期データをソフトウェアによって実行させる。
【００１５】
上記の実行された同期データは実行時間になった場合、有線・無線のネットワークを経由して、メディア同期コマンド実行手段にコマンドとして送信される。メディア同期実行手段はコマンドを受信すると、予め記録されているコマンドの実行方法に基づき、受信したコマンド内容を実行することで、そのコマンド内容がメディア配信事業者が配信する映像、音声、音楽と同期して実行される。
【００１６】
【発明の実施の形態】
次に、本発明の実施例について図面を参照して説明する。図１は本発明の一実施例によるメディア同期システムの構成を示すブロック図である。図１において、メディア同期システムは利用者システム１と、同期データ配信事業者システム２と、同期データ作成サービス事業者システム３と、メディア配信サービス事業者システム４と、時刻サーバ５とから構成されている。
【００１７】
利用者システム１はパーソナルコンピュータやホームサーバ、携帯電話端末、ＰＤＡ（Ｐｅｒｓｏｎａｌ  Ｄｉｇｉｔａｌ  Ａｓｓｉｓｔａｎｔ）等のコンピュータ等からなる情報機器１１と、メディア同期コマンド実行手段１２−１〜１２−ｎと、メディア受信手段１３とから構成されている。情報機器１１は時刻合わせ手段１１１と、内部時計１１２と、同期データ取得手段１１３と、同期データ解読手段１１４と、第一のネットワークインタフェース１１５とから構成されている。
【００１８】
メディア同期コマンド実行手段１２−１〜１２−ｎはそれぞれ第二のネットワークインタフェース１２１と、コマンド認識手段１２２と、コマンド実行手段１２３とから構成されている。尚、図１では、メディア同期コマンド実行手段１２−１の内部構成のみを図示しており、メディア同期コマンド実行手段１２−１〜１２−ｎとしては玩具や照明器具、空調設備、家具の可動制御機器（例えば、椅子を振動させたり、傾斜させたりする機器等）、投射装置［光（プラネタリウム等）や匂いの投射機］等がある。また、図１において、メディア同期コマンド実行手段１２−１〜１２−ｎは複数図示しているが、一つでも動作可能であり、複数の場合に単独でも、また他の機器と連動して動作することも可能である。
【００１９】
同期データ配信事業者システム２は同期データ配信手段２１と、同期データ２２とを備えており、メディア配信サービス事業者システム４はメディア配信手段４１と、配信データ４２とを備えている。
【００２０】
利用者システム１の情報機器１１とメディア同期コマンド実行手段１２−１〜１２−ｎとは無線［例えば、ブルートゥース（Ｒ）やＩＥＥＥ８０２．１１ａ，ＩＥＥＥ８０２．１１ｂ，ＩＥＥＥ８０２．１１ｇ等の近距離無線通信、赤外線通信等）、有線等のネットワーク２０７で接続されている。
【００２１】
情報機器１１と同期データ配信サービス事業者システム２の同期データ配信手段２１と時刻サーバ５とはインタネット１００に接続されている。メディア配信サービス事業者システム４のメディア配信手段４１は無線、有線等のインタネットを含む配信媒体２２１を経由してメディア受信手段１３に接続されている。ここで、メディア受信手段１３は通常のテレビやラジオ等の受信機である。
【００２２】
また、情報機器１１の時刻合わせ手段１１１は内部時計１１２と接続され、かつインタネット１００を経由して時刻サーバ５に接続されており、内部時計１１２の時刻を時刻サーバ５からの標準時刻に合わせる。内部時計１１２は同期データ解読手段１１４に接続されている。尚、時刻合わせ手段１１１は時刻サーバ５の代わりに、電波衛星からの時刻情報を受信するようにしてもよい。
【００２３】
同期データ取得手段１１３は同期データ解読手段１１４に接続され、かつインタネット１００を経由して同期データ配信手段２１に接続されている。同期データ解読手段１１４は第一のネットワークインタフェース１１５に接続されている。情報機器１１の第一のネットワークインタフェース１１５はメディア同期コマンド実行手段１２−１〜１２−ｎの第二のネットワークインタフェース１２１に無線、有線等のネットワーク２０７を経由して接続されている。
【００２４】
メディア同期コマンド実行手段１２−１〜１２−ｎのコマンド認識手段１２２は第二のネットワークインタフェース１２１に接続され、かつコマンド実行手段１２３に接続されている。
【００２５】
図２は本発明の一実施例において配信される同期データの構成を示す図である。図２において、この同期データは対象ＩＤ「実行手段種別ＩＤ」と、開始時刻（年月日時分秒）「ｘｘｘｘ年ｙｙ月ｚｚ日ａａ時ｂｂ分ｃｃ秒」と、実行時間「０７分３１秒」，「１５分００秒」，「２８分０１秒」と、コマンド種別「コマンド＃１」，「コマンド＃２」，「コマンド＃３」とから構成されている。
【００２６】
図３は本発明の一実施例によるメディア同期システムの動作を示すシーケンスチャートである。これら図１〜図３を参照して本発明の一実施例によるメディア同期システムの動作、つまりメディア同期コマンド実行手段１２−１〜１２−ｎを動作させる手順について説明する。
【００２７】
時刻合わせ手段１１１はインタネット１００を経由して時刻サーバ５に接続されており、時刻サーバ５から標準時刻を取得する。時刻合わせ手段１１１は取得した標準時刻を内部時計１１２に渡し、内部時計１１２の時刻を取得した標準時刻で更新する。
【００２８】
メディア配信サービス事業者システム４は通常のテレビやラジオ等の配信データ４２を作成し、メディア配信手段４１は予定されている配信予定時刻に配信データ４２を配信する。同期データ作成サービス事業者システム３はメディア配信サービス事業者システム４が作成した配信データ４２を受け、配信データ４２の内容及び配信予定時刻から同期データ２２（例えば、メディア同期コマンド実行手段１２−１〜１２−ｎを動作させるための一連のコマンド命令列）を作成し、その同期データ２２を同期データ配信サービス事業者システム２に提供する。
【００２９】
同期データ２２には、図２に示すように、メディア同期コマンド実行手段１２−１〜１２−ｎを識別するための対象ＩＤ、同期データ２２を実行開始する開始時刻、コマンドを実行する時刻を表現する開始時刻からの経過時間、及びコマンド種別が記録されている。
【００３０】
同期データ配信サービス事業者システム２は、提供された同期データ２２を同期データ配信手段２１によって、インタネット１００を経由して利用者システム１の情報機器１１に配信する。この配信は利用者システムの情報機器１１の同期データ取得手段１１３からの要求を受け、その要求にしたがって配信される。
【００３１】
情報機器１１の同期データ取得手段１１３はメディア配信予定時刻以前に同期データ配信手段２１にアクセスし、同期データ２２の配信要求を行い（図３のａ１）、同期データ配信手段２１から同期データ２２を取得する（図３のａ２）。取得した同期データ２２は同期データ解読手段１１４に渡される。但し、同期データ取得手段１１３はメディア配信予定時刻以前に取得した同期データ２２を蓄積しておき、その同期データ２２を同期データ解読手段１１４に渡しても、またメディア配信予定時刻直前にリアルタイムで順次取得する同期データ２２をそのまま同期データ解読手段１１４に渡してもよい。
【００３２】
同期データ解読手段１１４は内部時計１１２を参照し、同期データに記録されている同期データ開始時刻、コマンド実行時間から、コマンド実行時刻を判定し、同期データ２２に記録されているコマンド種別を解読し、第一のネットワークインタフェース１１５にコマンド情報を送信する（図３のａ３，ａ４，ａ６，ａ８）。
【００３３】
第一のネットワークインタフェース１１５は受信したコマンド情報をネットワーク２０７を経由してメディア同期コマンド実行手段１２−１〜１２−ｎのうちの対応する手段の第二のネットワークインタフェース１２１に送信する。
【００３４】
メディア同期コマンド実行手段１２−１〜１−ｎのうちの対応する手段の第二のネットワークインタフェース１２１は情報機器１１の第一のネットワークインタフェース１１５から受信したコマンド情報をコマンド認識手段１２２に送信する。コマンド認識手段１２２は受信したコマンド情報からコマンドを認識し、コマンド実行手段１２３に実行命令を送信する。コマンド実行手段１２３は受信した実行命令に基づいた動作を行う。
【００３５】
メディア受信手段１３はメディア配信サービス事業者システム４のメディア配信手段４１から配信される配信データ４２を受信し、配信データ４２の復元・再生を行う（図３のａ５，ａ７，ａ９）。メディア配信サービス事業者システム４から配信される予定時刻と、同期データ２２に記録された同期データ開始時刻とは同一の時刻が記録されているため、メディア受信手段１３で再生される配信データと、メディア同期コマンド実行手段１２−１〜１−ｎのうちの対応する手段で実行されるコマンド動作とが同期する。
【００３６】
このように、本実施例では、無線、有線等を経由したメディア配信と、インタネット１００を経由した同期データ配信とによって、利用者に対し、メディア配信と同期してサービスを提供することができる。
【００３７】
また、本実施例では、無線、有線等を経由したメディア配信と、インタネット１００を経由した同期データ配信と、かつメディア同期コマンド実行手段１２−１〜１２−ｎにおける映像、音楽、文字、音声以外の動作とを行うことによって、利用者に対し、メディア配信と同期して映像、音楽、文字、音声以外のサービスを提供することができる。
【００３８】
さらに、本実施例では、インタネット１００を利用した同期データ配信と、メディア配信とを別経路で実現しているため、特別なメディア受信機を必要とせず、既存のシステムを利用することができる。
【００３９】
上述した本実施例では、メディア配信サービス事業者システム４から配信されるメディアがアニメーション映画やヒーローもののドラマの場合、そこに登場する人物等が使用するベルトや腕時計、携帯端末等の玩具に、メディアの放送において当該玩具が登場する時刻に発光や振動等を行わせるためのメディア同期コマンド実行手段１２−１〜１２−ｎを配設しておくことで、その玩具を使用する子供が登場人物等になるという疑似体験を行わせることができる。
【００４０】
また、本実施例では、メディア配信サービス事業者システム４から配信されるメディアが恐怖（ホラー）映画の場合に、室内の照明器具や空調機器を制御する回路にメディア同期コマンド実行手段１２−１〜１２−ｎを配設しておくことで、その映画の場面に合わせて室内を暗くしたり、明るくすることも、また室内の温度を上下させることも可能であり、その映画を見ている利用者に、その映画の場面内にいるかのような臨場感を与えることができる。
【００４１】
さらに、本実施例では、メディア配信サービス事業者システム４から配信されるメディアがラジオからの音楽、詩や小説等の朗読等の場合に、室内に星座を投射するためのプラネタリウムや匂い発生機等の投射装置にメディア同期コマンド実行手段１２−１〜１２−ｎを配設しておくことで、その音楽、詩や小説等の朗読等に合わせて室内に星座を投射したり、匂いを発生させることも可能であり、その音楽、詩や小説等の朗読等を聞いている利用者に、その情景を浮かべさせるかのような臨場感を与えることができる。
【００４２】
さらにまた、本実施例では、メディア配信サービス事業者システム４から配信されるメディアが冒険活劇映画の場合に、家具の可動制御機器（例えば、椅子を振動させたり、傾斜させたりする機器等）にメディア同期コマンド実行手段１２−１〜１２−ｎを配設しておくことで、その映画の場面に合わせて家具を動かす（例えば、椅子を振動させたり、傾斜させる等の動作）ことで、その映画を見ている利用者に、その映画の場面内にいるかのような臨場感を与えることができる。
【００４３】
一方、本実施例では、メディア配信サービス事業者システム４から配信されるメディアが毎週連続して放送されるアニメーションやドラマ等の番組の場合に、それらの番組に登場するぬいぐるみやキャラクター玩具（例えば、フィギア等の人形等）にメディア同期コマンド実行手段１２−１〜１２−ｎを配設しておくことで、それらの番組の進捗状況（例えば、視聴回数等）に合わせて異なる言葉を覚えさせていく［メディア同期コマンド実行手段１２−１〜１２−ｎの実行シナリオ（実行内容）を可変する］ことで、その番組を見ている利用者に、その番組に登場するキャラクターが番組の進展とともに成長していくかのような臨場感を与えることができる。尚、上記の各具体例は相互に組合せて用いることも可能である。
【００４４】
図４は本発明の他の実施例によるメディア同期システムの動作を示すシーケンスチャートである。本発明の他の実施例によるメディア同期システムの構成は図１に示す本発明の一実施例の構成と同様であり、そこで用いられる同期データも図２に示す本発明の一実施例で用いられる同期データ２２と同様である。これら図１と図２と図４とを参照して本発明の他の実施例によるメディア同期システムの動作、つまりメディア同期コマンド実行手段１２−１〜１２−ｎを動作させる手順について説明する。
【００４５】
本発明の他の実施例では、情報機器１１の同期データ取得手段１１３がメディア配信予定時刻以前に同期データ配信手段２１にアクセスし、同期データ２２の配信要求を行い（図４のｂ１）、同期データ配信手段２１から同期データ２２を取得する（図４のｂ２）。同期データ取得手段１１３はメディア配信予定時刻直前にリアルタイムで順次取得する同期データ２２をそのまま同期データ解読手段１１４に渡している（図４のｂ４，ｂ７，ｂ１０）。
【００４６】
同期データ解読手段１１４は内部時計１１２を参照し、同期データに記録されている同期データ開始時刻、コマンド実行時間から、コマンド実行時刻を判定し、同期データ２２に記録されているコマンド種別を解読し、第一のネットワークインタフェース１１５にコマンド情報を送信する（図４のｂ３，ｂ５，ｂ８，ｂ１１）。
【００４７】
第一のネットワークインタフェース１１５は受信したコマンド情報をネットワーク２０７を経由してメディア同期コマンド実行手段１２−１〜１２−ｎのうちの対応する手段の第二のネットワークインタフェース１２１に送信する。
【００４８】
メディア同期コマンド実行手段１２−１〜１−ｎのうちの対応する手段の第二のネットワークインタフェース１２１は情報機器１１の第一のネットワークインタフェース１１５から受信したコマンド情報をコマンド認識手段１２２に送信する。コマンド認識手段１２２は受信したコマンド情報からコマンドを認識し、コマンド実行手段１２３に実行命令を送信する。コマンド実行手段１２３は受信した実行命令に基づいた動作を行う。
【００４９】
メディア受信手段１３はメディア配信サービス事業者システム４のメディア配信手段４１から配信される配信データ４２を受信し、配信データ４２の復元・再生を行う（図４のｂ６，ｂ９，ｂ１２）。
【００５０】
メディア配信サービス事業者システム４から配信される予定時刻と、同期データ２２に記録された同期データ開始時刻とは同一の時刻が記録されているため、メディア受信手段１３で再生される配信データと、メディア同期コマンド実行手段１２−１〜１−ｎのうちの対応する手段で実行されるコマンド動作とが同期する。尚、本実施例では野球やサッカー等の同時中継に対応させることが可能である。
【００５１】
図５は本発明の別の実施例によるメディア同期システムの構成を示すブロック図である。図５では、本発明の別の実施例によるビジネスモデルを含むサービス提供システムの構成を示している。
【００５２】
図５において、本発明の別の実施例はメディア同期コマンド実行手段製造事業者６を追加した以外は上記の図１に示す本発明の一実施例によるメディア同期システムと同様の構成となっており、同一構成要素には同一符号を付している。また、同一構成要素の動作は本発明の一実施例や他の実施例と同様である。尚、本実施例では１つのメディア同期コマンド実行手段１２を用いているが、複数のメディア同期コマンド実行手段１２−１〜１２−ｎを用いることも可能である。
【００５３】
メディア同期コマンド実行手段製造事業者６はメディア配信サービス事業者システム４が配信するテレビ番組、ビデオ、音楽、音声等のメディアと関連したメディア同期コマンド実行手段１２の製造及び販売（図５の処理２５１）を行うため、メディア配信サービス事業者システム４に対するスポンサ等の契約・提携（図５の処理２５２）を行う。
【００５４】
メディア配信サービス事業者システム４はメディア同期コマンド実行手段１２に関連する映像、音楽、音声等の配信データを作成し、利用者システム１に対して無線・有線・他の媒体を経由し、配信データを配信する（図５の処理２２１）。
【００５５】
同期データ作成サービス事業者システム３はメディア配信サービス事業者システム４が作成した配信データと配信予定時刻とを受け（図５の処理３０２）、該当配信データ内容を基にメディア同期コマンド実行手段１２で実行するための同期データを作成する。この同期データには実行時刻及び実行コマンドが記録されており、作成された同期データは同期データ配信サービス事業者システム２に渡される（図５の処理３０１）。
【００５６】
同期データ配信サービス事業者システム２は同期データをインタネット１００を利用して利用者システム１に配信する（図５の処理２０４）。利用者システム１はメディア同期コマンド実行手段製造事業者６からメディア同期コマンド実行手段１２を購入し（図５の処理２５１）、同期データ配信サービス事業者システム２が提供する配信サービスに加入し、利用料を同期データ配信サービス事業者システム２に支払い、インタネット１００に接続されているパーソナルコンピュータやホームサーバ等のコンピュータ等からなる情報機器１１上に実装されるソフトウェアまたはハードウェアの提供を受ける。
【００５７】
利用者システム１はインタネット１００に接続されている情報機器１１によって、インタネット１００を経由して同期データを情報機器１１内に取得する。情報機器１１ではソフトウェアまたはハードウェアによって同期データを実行させ、実行時間になった場合、有線・無線のネットワークを経由して、メディア同期コマンド実行手段１２にコマンドを送信する。コマンドを受信したメディア同期実行手段１２は予め記録されているコマンドの実行方法に基づき、受信したコマンド内容を実行する。このコマンドの実行はメディア配信サービス事業者システム４が配信する映像、音声、音楽と同期して行われる。
【００５８】
このように、本実施例では、上述した本発明の一実施例の効果の他に、メディア同期コマンド実行手段１２を実装した機器の販売拡大と、その機器を購入した利用者が機器を動作させえるために、メディア配信の利用拡大との相乗効果が得られる。
【００５９】
また、本実施例では、コマーシャル等の配信時にも、メディア同期コマンド実行手段１２にてコマンド実行動作させることで、コマーシャルの聴視を促すという効果が得られる。
【００６０】
図６は本発明のさらに別の実施例によるメディア同期システムの構成を示すブロック図である。図６において、本発明のさらに別の実施例は情報機器１１内に第一の記録手段１１６と第二の記録手段１１７とを配設した以外は上記の図１に示す本発明の一実施例と同様の構成となっており、同一構成要素には同一符号を付してある。また、同一構成要素の動作は本発明の一実施例や他の実施例と同様である。
【００６１】
情報機器１１内において、第一の記録手段１１６は同期データ取得手段１１３と同期データ解読手段１１４とに接続され、メディア受信手段１３は情報機器１１内の内部時計１１２と同期データ解読手段１１４と第二の記録手段１１７とにそれぞれ接続されている。
【００６２】
メディア受信手段１３はメディア配信手段４１からの配信データを受信し、内部時計１１２から時刻を参照し、記録開始した時刻と、メディア受信手段１３がメディア配信手段４１から配信された配信データ４２とを第二の記録手段１１７に記録する。同期データ取得手段１１３は同期データ配信手段２１に要求して同期データ２２を取得し、その同期データを第一の記録手段１１６に記録する。
【００６３】
同期データ解読手段１１４は第一の記録手段１１６から同期データを読出し、またメディア受信手段１３を介して第二の記録手段１１７に記録されている記録開始時刻を参照し、同期データの開始時刻と記録開始時刻との比較を行う。この比較によって、差分があった場合には、第一の記録手段１１７に記録されている同期データの実行タイミングを、第二の記録手段１１７に記録されている配信データの再生タイミングから比較した際の差分時間分をずらす（遅延する）ことで同期をとる。
【００６４】
このように、本実施例では、上記の本発明の一実施例の効果の他に、リアルタイムでの配信データだけでなく、記録した後で再生する場合にも配信データと同期して映像、音楽、文字、音声以外の各種サービスの提供を行うことができる。
【００６５】
【発明の効果】
以上説明したように本発明は、上記のような構成及び動作とすることで、利用者に対し、メディア配信と同期した各種サービスを実現することができるという効果が得られる。
【図面の簡単な説明】
【図１】本発明の一実施例によるメディア同期システムの構成を示すブロック図である。
【図２】本発明の一実施例において配信される同期データの構成を示す図である。
【図３】本発明の一実施例によるメディア同期システムの動作を示すシーケンスチャートである。
【図４】本発明の他の実施例によるメディア同期システムの動作を示すシーケンスチャートである。
【図５】本発明の別の実施例によるメディア同期システムの構成を示すブロック図である。
【図６】本発明のさらに別の実施例によるメディア同期システムの構成を示すブロック図である。
【符号の説明】
１  利用者システム
２  同期データ配信事業者システム
３  同期データ作成サービス事業者システム
４  メディア配信サービス事業者システム
５  時刻サーバ
６  メディア同期コマンド実行手段製造事業者
１１  情報機器
１２，
１２−１〜１２−ｎ  メディア同期コマンド実行手段
１３  メディア受信手段
２１  同期データ配信手段
２２  同期データ
４１  メディア配信手段
４２  配信データ
１１１  時刻合わせ手段
１１２  内部時計
１１３  同期データ取得手段
１１４  同期データ解読手段
１１５  第一のネットワークインタフェース
１１６  第一の記録手段
１１７  第二の記録手段
１２１  第二のネットワークインタフェース
１２２  コマンド認識手段
１２３  コマンド実行手段
【図１】
2005006037.tif 000003
【図２】
2005006037.tif 000004
【図３】
2005006037.tif 000005
【図４】
2005006037.tif 000006
【図５】
2005006037.tif 000007
【図６】
2005006037.tif 000008